(57)【特許請求の範囲】
【請求項１】
通電を可能にするためのコードを接続するコード接続部を設け、粘着性を有する導子を貼り付け可能な平面部と、該平面部に前記導子との間に空間を形成するための空間形成部材とを有し、前記導子及び前記平面部は、横長形状に形成され、且つ、前記導子を前記平面部に貼り付けた時、前記導子の向きが左右反対であっても、前記コード接続部が前記空間形成部材の近傍に位置するように、前記空間形成部材は前記平面部の２か所に形成したことを特徴とする導子収納具。
【請求項２】
前記空間形成部材は、突起であることを特徴とする請求項１記載の導子収納具。
【請求項３】
通電を可能にするためのコードを接続するコード接続部を設け、粘着性を有する導子を貼り付け可能な平面部と、該平面部を貫通し前記導子を貼り付けた時に前記導子が空気に触れるための孔とを有し、前記導子及び前記平面部は、横長形状に形成され、且つ、前記導子を前記平面部に貼り付けた時、前記導子の向きが左右反対であっても、前記コード接続部が前記孔の近傍に位置するように、前記孔は前記平面部の２か所に形成したことを特徴とする導子収納具。
【発明の詳細な説明】
【０００１】
【発明の属する技術分野】
本発明は、低周波治療器や、人体測定用の粘着性の導子を貼り付けて収納する導子収納具に関する。
【０００２】
【従来の技術】
従来、この種の導子収納具は、実開平５−２９５４６号公報（Ａ６１Ｎ１／０４）に記載の如く、横長の収納プレートに導子を貼り付ける面を形成し、２枚の導子をこの面に貼り付けて収納するものが知られている。そして、この貼り付け面を凹凸に形成し、空気の層を形成することによって粘着性の導子を剥がしやすくしている。
【０００３】
しかしながら、上述するような収納具であれば、全体的に凹凸が形成されているため、導子を剥がしやすいという効果があるが、反対に粘着部分が空気に触れる面積が大きいため、乾燥しやすく、粘着力が低下するという問題が生じる。
【０００４】
また、コード接続部が導子の中央に位置するため、コードを持って導子を外そうとしたとき、導子は剥がれにくく、導子からコードが外れてしまうといった問題が生じる。
【０００５】
【発明が解決しようとする課題】
本発明は、上記欠点に鑑みなされたもので、導子の粘着性を保ちながら保管でき、収納具から導子を剥がしやすく、また剥がすときに導子からコードが外れにくい、使い勝手のよい導子収納具を提供することを課題とする。
【０００６】
【課題を解決するための手段】
本発明は、通電を可能にするためのコードを接続するコード接続部を設け、粘着性を有する導子を貼り付け可能な平面部と、該平面部に前記導子との間に空間を形成するための空間形成部材、例えば突起とを有し、前記導子及び前記平面部は、横長形状に形成され、且つ、前記導子を前記平面部に貼り付けた時、前記導子の向きが左右反対であっても、前記コード接続部が前記空間形成部材の近傍に位置するように、前記空間形成部材は前記平面部の２か所に形成したことを特徴とする。
【０００７】
また、通電を可能にするためのコードを接続するコード接続部を設け、粘着性を有する導子を貼り付け可能な平面部と、該平面部を貫通し前記導子を貼り付けた時に前記導子が空気に触れるための孔とを有し、前記導子及び前記平面部は、横長形状に形成され、且つ、前記導子を前記平面部に貼り付けた時、前記導子の向きが左右反対であっても、前記コード接続部が前記孔の近傍に位置するように、前記孔は前記平面部の２か所に形成したことを特徴とする。
【０００９】
本発明の導子収納具の使用について説明をする。治療が終了したとき、粘着性の導子を収納具の平面部に貼り付け保管する。この時、導子が空間形成部材、例えば突起、又は孔に当接することによって空気と触れる部分が形成される。このことによって、導子を平面部から剥がすときに空気に触れる部分から剥がすと簡単に剥がすことができる。
【００１０】
そして、導子を平面部に貼り付けた時、コード接続部近傍に空間形成部材、例えば突起、又は孔が位置するように形成したので、使用者がコードを引っ張って収納具から導子を剥がそうとしたときでも、コード接続部近傍の空気が触れる部分によって、導子を簡単に剥がすことが出来る。
【００１１】
更に、導子及び平面部は横長形状で、空間形成部材、又は孔は、平面部に導子が収まるいずれの方向に貼り付けてもコード接続部近傍に位置するように２か所に形成しているので、導子を平面部に貼り付けた時、導子の向きが左右反対であってもコード接続部の位置は必ず空間形成部材又は孔近傍に位置する。このことによって、貼り付ける方向が反対になったとしても簡単に剥がすことができる。
【００１２】
【発明の実施の形態】
本発明の実施の形態を、低周波治療器に使用する導子収納具を例に、図１乃至図１２に基づいて以下に詳述する。
【００１３】
第１実施例について、図１乃至図３に基づき説明をする。
【００１４】
まず、導子１について説明をする。該導子１は、横長の軍配型に形成されている。
【００１５】
２は、塩化ビニル、ウレタンなどから形成される絶縁性の基台で、該基台２は片面に導電性のカーボン３が印刷してある。
【００１６】
４は、一部を前記カーボン３に接触させ、前記基台２を貫通させてカーボン３が設けられていない面に突出させてあるホックで、該ホック４はカーボン３との接触面側をシール５によって基台２に貼り付けて固定している。そして、ホック４は、横長形状の基台２の長手方向の端部の１か所に設けてある。
【００１７】
６は、前記カーボン３に貼り付けられた粘着性のゲルで、該ゲル６は導電性を有しホック４、カーボン３の順に流れてきた治療電流を貼り付けた身体に流すことができる。
【００１８】
７は、前記ホック４に着脱自在に接続される雌ホックで、該雌ホック７はコード８に電気的に接続されている。該コード８は、治療電流を発生する低周波治療器本体（図示せず）と接続されている。
【００１９】
次に、前記導子１を未使用時に貼り付け収納する絶縁性の樹脂によって形成された収納具１０について説明をする。
【００２０】
１１は、前記導子１の表面よりも若干大きい表面積を持つ平面部で、該平面部１１の表面にはシリコンをコーティングした剥離シート１２が貼り付けられている。また、平面部１１は横長の軍配型に形成されており、前記導子と良く似た形状に形成されている。
【００２１】
１３は、収納具１０の外周に形成された収納壁で、該収納壁１３は前記導子１を貼り付ける際に位置決めにもなる。
【００２２】
１４は、前記平面部１１の長手方向の端部両側に形成された裏側に貫通する空間形成部材、即ち孔で、該孔１４は前記導子１を貼り付けたときに、コード接続部１５、即ちホック４及び雌ホック７が位置する部分に形成してあり、前記導子１を貼り付ける方向が反対になっても孔１４の上にコード接続部１５が位置する位置に形成されている。そして、該孔１４は、端部片側に９個の孔１４を形成しており、また孔１４は導子１を貼り付ける面から円錐状に径が小さくなり、平面部１１の導子１を貼り付けない面は貼り付け面よりも小さな孔１４になるように形成されている。このように、孔１４を円錐状にしているのは、導子１を貼り付けたときに収納具１０の裏側から埃などが入りにくいようにしているためである。
【００２３】
次に使用状態について説明をする。
【００２４】
導子１を使用するときは、ゲル６の粘着力で身体に導子１を貼り付け、本体からの治療電流をコード８、雌ホック７、ホック４、カーボン３、ゲル６と通じて身体に流すことが出来る。
【００２５】
治療が終了すると、ゲル６の粘着力で導子１を収納具１０の平面部１１に貼り付けて収納する。この時、導子１のホック４を設けた部分と、導子１の長手方向のホック４を設けた部分の相対する側との２か所が孔１４と当接することになり、この２か所が平面部１１に接着しないことになり空気に触れるようになる。
【００２６】
このため、導子１を剥がすときは、ゲル６が空気に触れた部分、即ち接着力が弱くなった部分から剥がすことによって非常に剥がしやすくなる。また、空気に触れる部分がゲル６の一部であるため、全体が乾燥して粘着力が弱くなるのを防止する。更に、孔１４とゲル６のホック４近傍とが接するので、使用者がコード８を引っ張って導子１を剥がしたとしても、簡単に剥がすことができ、ゲル６の粘着力でホック４と雌ホック７とが外れてしまうことがない。そして、導子１を長手方向のいづれの方向に収納してもホック４を設けた部分に収納具の孔１４が存在するので剥がしやすくなるといった効果がある。
【００２７】
次に第２実施例について図４乃至図６に基づき説明する。
【００２８】
導子１については第１実施例と同様なので、同一の図番を付して説明を省略する。
【００２９】
次に、前記導子１を未使用時に貼り付け収納する絶縁性の樹脂によって形成された収納具２０について説明をする。
【００３０】
２１は、前記導子１の表面よりも若干大きい表面積を持つ平面部で、該平面部２１の表面にはシリコンをコーティングした剥離シート２２が貼り付けられている。また、平面部２１は横長の軍配型に形成されており、前記導子１と良く似た形状に形成されている。本実施例においては、収納具２０の両面に導子１を収納するため、平面部２１は収納具２０の両面に形成されており、また剥離シート２２も両面に貼り付けられている。
【００３１】
２３は、収納具２０の外周に形成された収納壁で、該収納壁２３は前記導子１を貼り付ける際に位置決めにもなる。
【００３２】
２４は、前記平面部２１の長手方向の端部両側に形成された空間形成部材、即ち突起で、該突起２４は前記導子１を貼り付けたときに、コード接続部１５、即ちホック４及び雌ホック７が位置する部分に形成してあり、前記導子１を貼り付ける方向が反対になっても突起２４の上にコード接続部１５が位置する位置に形成されている。そして、該突起２４は、端部片側に５個の円筒状の突起２４を形成しており、また突起２４は導子１を貼り付ける両面に形成されている。
【００３３】
次に、治療終了時の使用状態について説明する。
【００３４】
治療が終了すると、ゲル６の粘着力で導子１を収納具２０に形成した両側の平面部２１に貼り付けて収納する。この時、導子１のホック４を設けた部分と、導子１の長手方向のホック４を設けた部分の相対する側との２か所が突起２４と当接することになり、この２か所が平面部２１に接着しないことになり空気に触れるようになる。
【００３５】
このため、導子１を剥がすときは、ゲル６が空気に触れた部分、即ち接着力が弱くなった部分から剥がすことによって非常に剥がしやすくなる。また、空気に触れる部分がゲル６の一部であるため、全体が乾燥して粘着力が弱くなるのを防止する。更に、突起２４とゲル６のホック４近傍とが接するので、使用者がコード８を引っ張って導子１を剥がしたとしても、簡単に剥がすことができ、ゲル６の粘着力でホック４と雌ホック７とが外れてしまうことがない。そして、導子１を長手方向のいづれの方向に収納してもホック４を設けた部分に収納具の突起２４が存在するので剥がしやすくなるといった効果がある。
【００３６】
次に第３実施例について図７乃至図９に基づき説明する。
【００３７】
導子１については第１、及び第２実施例と同様なので、同一の図番を付して説明を省略する。
【００３８】
次に、前記導子１を未使用時に貼り付け収納する絶縁性の樹脂によって形成された収納具３０について説明をする。
【００３９】
３１は、前記導子１の表面よりも若干大きい表面積を持つ平面部で、該平面部３１の表面にはシリコンをコーティングした剥離シート３２が貼り付けられている。また、平面部３１は横長の軍配型に形成されており、前記導子１と良く似た形状に形成されている。本実施例においては、収納具３０の両面に導子１を収納するため、平面部３１は収納具３０の両面に形成されており、また剥離シート３２も両面に貼り付けられている。
【００４０】
３３は、収納具３０の外周に形成された収納壁で、該収納壁３３は前記導子１を貼り付ける際に位置決めにもなる。
【００４１】
３４は、前記平面部３１の長手方向の端部両側に形成された空間形成部材、即ち矩形状の突起で、該突起３４は前記導子１を貼り付けたときに、コード接続部１５、即ちホック４及び雌ホック７が位置する部分に形成してあり、前記導子１を貼り付ける方向が反対になっても突起３４の上にコード接続部１５が位置する位置に形成されている。そして、該突起３４は、雌ホック７の径と略同等の幅でコの字を形成しており、導子１を貼り付けたときに雌ホック７が突起３４の上に乗るようになっている。また突起３４は導子１を貼り付ける両面に形成されている。
【００４２】
次に、治療終了時の使用状態について説明する。
【００４３】
治療が終了すると、ゲル６の粘着力で導子１を収納具３０に形成した両側の平面部３１に貼り付けて収納する。この時、導子１のホック４を設けた部分と、導子１の長手方向のホック４を設けた部分の相対する側との２か所が突起３４と当接することになり、この２か所が平面部３１に接着しないことになり空気に触れるようになる。
【００４４】
このため、導子１を剥がすときは、ゲル６が空気に触れた部分、即ち接着力が弱くなった部分から剥がすことによって非常に剥がしやすくなる。また、空気に触れる部分がゲル６の一部であるため、全体が乾燥して粘着力が弱くなるのを防止する。更に、突起３４とゲル６のホック４近傍とが接するので、使用者がコード８を引っ張って導子１を剥がしたとしても、簡単に剥がすことができ、ゲル６の粘着力でホック４と雌ホック７とが外れてしまうことがない。そして、導子１を長手方向のいづれの方向に収納してもホック４を設けた部分に収納具の突起３４が存在するので剥がしやすくなるといった効果がある。
【００４５】
次に第４実施例について図１０乃至図１２に基づき説明する。
【００４６】
導子１については第１、２及び第３実施例と同様なので、同一の図番を付して説明を省略する。
【００４７】
次に、前記導子１を未使用時に貼り付け収納する絶縁性の樹脂によって形成された収納具４０について説明をする。
【００４８】
４１は、前記導子１の表面よりも若干大きい表面積を持つ平面部で、該平面部４１の表面にはシリコンをコーティングした剥離シート４２が貼り付けられている。また、平面部４１は横長の軍配型に形成されており、前記導子１と良く似た形状に形成されている。本実施例においては、収納具４０の両面に導子１を収納するため、平面部４１は収納具４０の両面に形成されており、また剥離シート４２も両面に貼り付けられている。
【００４９】
４３は、収納具４０の外周に形成された収納壁で、該収納壁４３は前記導子１を貼り付ける際に位置決めにもなる。
【００５０】
４４は、前記平面部４１の長手方向の端部両側に形成された空間形成部材、即ち矩形状の凹部で、該凹部４４は前記導子１を貼り付けたときに、コード接続部１５、即ちホック４及び雌ホック７が位置する部分に形成してあり、前記導子１を貼り付ける方向が反対になっても凹部４４の上にコード接続部１５が位置する位置に形成されている。そして、該凹部４４は、雌ホック７の径と略同等の幅で長方形状を形成しており、導子１を貼り付けたときに雌ホック７が凹部４４の端をはみだして乗るようになっている。また凹部４４は導子１を貼り付ける両面に形成されている。
【００５１】
次に、治療終了時の使用状態について説明する。
【００５２】
治療が終了すると、ゲル６の粘着力で導子１を収納具４０に形成した両側の平面部４１に貼り付けて収納する。この時、導子１のホック４を設けた部分と、導子１の長手方向のホック４を設けた部分の相対する側との２か所が凹部４４と当接することになり、この２か所が平面部４１に接着しないことになり空気に触れるようになる。
【００５３】
このため、導子１を剥がすときは、ゲル６が空気に触れた部分、即ち接着力が弱くなった部分から剥がすことによって非常に剥がしやすくなる。また、空気に触れる部分がゲル６の一部であるため、全体が乾燥して粘着力が弱くなるのを防止する。更に、凹部４４とゲル６のホック４近傍とが接するので、使用者がコード８を引っ張って導子１を剥がしたとしても、簡単に剥がすことができ、ゲル６の粘着力でホック４と雌ホック７とが外れてしまうことがない。そして、導子１を長手方向のいづれの方向に収納してもホック４を設けた部分に収納具４０の凹部４４が存在するので剥がしやすくなるといった効果がある。
【００５４】
【発明の効果】
本発明は、粘着性の導子を貼り付け可能な平面部と、平面部に導子が空気と触れるための空間形成部材、例えば突起、又は孔を形成したので、導子を剥がすときは、導子が空気に触れる部分、即ち接着力が弱くなった部分から剥がすことになるので非常に剥がしやすくなる。
【００５５】
また、導子は通電を可能にするためのコードを接続するコード接続部を有し、平面部に導子を貼り付けたとき、コード接続部近傍に空間形成部材又は孔が位置するように形成したので、使用者がコードを引っ張って導子を剥がそうとしても、簡単に剥がすことができ、導子の粘着力でコード接続部が外れてしまうことがない。
【００５６】
更に、導子及び平面部は横長形状で、空間形成部材、又は孔は、平面部に導子が長手方向で左右反対に貼り付けてもコード接続部近傍に位置するように２か所に形成しているので、導子を長手方向のいずれの方向に収納してもコード接続部を設けた部分に空気に触れる部分が存在するので剥がしやすくなるといった効果がある。
【図面の簡単な説明】
【図１】本発明の第１実施例を示す収納具の平面図である。
【図２】同収納具に導子を貼り付けた時の平面図である。
【図３】同収納具に導子を貼り付けた時の側面断面図である。
【図４】本発明の第２実施例を示す収納具の平面図である。
【図５】同収納具に導子を貼り付けた時の平面図である。
【図６】同収納具に導子を貼り付けた時の側面断面図である。
【図７】本発明の第３実施例を示す収納具の平面図である。
【図８】同収納具に導子を貼り付けた時の平面図である。
【図９】同収納具に導子を貼り付けた時の側面断面図である。
【図１０】本発明の第４実施例を示す収納具の平面図である。
【図１１】同収納具に導子を貼り付けた時の平面図である。
【図１２】同収納具に導子を貼り付けた時の側面断面図である。
【符号の説明】
１                    導子
１１                    平面部
２１                    平面部
３１                    平面部
４１                    平面部
１０                    収納具
２０                    収納具
３０                    収納具
４０                    収納具
１４                    孔（空間形成部材）
２４                    突起（空間形成部材）
４４                    凹部（空間形成部材）
８                    コード
１５                    コード接続部
【図１】
0003579203.tif 000002
【図２】
0003579203.tif 000003
【図３】
0003579203.tif 000004
【図４】
0003579203.tif 000005
【図５】
0003579203.tif 000006
【図６】
0003579203.tif 000007
【図７】
0003579203.tif 000008
【図８】
0003579203.tif 000009
【図９】
0003579203.tif 000010
【図１０】
0003579203.tif 000011
【図１１】
0003579203.tif 000012
【図１２】
0003579203.tif 000013